(57)【要約】【課題】向きを気にせず使用することができる、消費電力が軽減されたリモコン送信機およびリモコン受信機を提供する。【解決手段】本発明に係るリモコン送信機１００およびリモコン受信機２００は、電波送受信部１０４および２０４を備え、リモコン受信機２００をオンにする信号を赤外線を介して通信するものであり、指向性が低い電波を介して信号を通信することができる上、リモコン受信機２００をオフにする信号を通信したときから、リモコン受信機２００をオンにする信号を通信したときまでの間、リモコン送信機１００が備える電波送受信部１０４およびリモコン受信機２００が備える電波送受信部２０４に供給する電力をそれぞれ抑制して、消費電力を軽減させることができる。【選択図】図１
2010098447.tif 000002
【特許請求の範囲】
【請求項１】
リモコン受信機と通信するリモコン送信機であって、
上記リモコン受信機へ赤外線を介して信号を送信する送信機側赤外線送信部と、
上記リモコン受信機と電波を介して信号を送受信する送信機側電波送受信部と、
上記送信機側赤外線送信部および上記送信機側電波送受信部に電力を供給する送信機側電力供給部と、
上記リモコン受信機の電源をオンにするための信号を、上記送信機側赤外線送信部から送信した後に、上記送信機側電力供給部から上記送信機側電波送受信部への電力供給量を増加させる送信機側電源オン制御手段と、
上記リモコン受信機の電源をオフにするための信号を、上記送信機側電波送受信部または上記送信機側赤外線送信部から送信した後に、上記送信機側電力供給部から上記送信機側電波送受信部への電力供給量を低減させる送信機側電源オフ制御手段と
を備えていることを特徴とするリモコン送信機。
【請求項２】
リモコン送信機と通信するリモコン受信機であって、
上記リモコン送信機から赤外線を介して信号を受信する受信機側赤外線受信部と、
上記リモコン送信機と電波を介して信号を送受信する受信機側電波送受信部と、
上記受信機側赤外線受信部および上記受信機側電波送受信部に電力を供給する受信機側電力供給部と、
上記リモコン受信機の電源をオンにするための信号を、上記受信機側赤外線受信部が受信した後に、上記受信機側電力供給部から上記受信機側電波送受信部への電力供給量を増加させる受信機側電源オン制御手段と、
上記リモコン受信機の電源をオフにするための信号を、上記受信機側電波送受信部または上記受信機側赤外線受信部が受信した後に、上記受信機側電力供給部から上記受信機側電波送受信部への電力供給量を低減させる受信機側電源オフ制御手段と
を備えていることを特徴とするリモコン受信機。
【請求項３】
請求項１に記載のリモコン送信機と、請求項２に記載のリモコン受信機とからなる、システム。
【請求項４】
第１の送信機側認証用データを上記送信機側赤外線送信部から送信させる送信機側認証用データ送信制御手段と、
上記送信機側電波送受信部が受信した第１の受信機側認証用データが、上記第１の送信機側認証用データに関連付けられたものか否かを判定する送信機側認証用データ判定手段とをさらに備えていることを特徴とする請求項１に記載のリモコン送信機。
【請求項５】
上記受信機側赤外線受信部が受信した第１の送信機側認証用データに関連付けられた第１の受信機側認証用データを生成して上記受信機側電波送受信部から送信させる受信機側認証用データ送信制御手段をさらに備えていることを特徴とする請求項２に記載のリモコン受信機。
【請求項６】
請求項４に記載のリモコン送信機と、請求項５に記載のリモコン受信機とからなる、システム。
【請求項７】
上記送信機側認証用データ送信制御手段が、上記第１の送信機側認証用データを生成して上記送信機側赤外線送信部から送信させた後、上記第１の送信機側認証用データに関連付けられた第２の送信機側認証用データを生成して上記送信機側電波送受信部から送信させることを特徴とする請求項４に記載のリモコン送信機。
【請求項８】
上記受信機側電波送受信部が受信した第２の送信機側認証用データが、上記第１の送信機側認証用データに関連付けられたものか否かを判定する受信機側認証用データ判定手段をさらに備えていることを特徴とする請求項５に記載のリモコン受信機。
【請求項９】
上記送信機側認証用データ送信制御手段が、上記送信機側電波送受信部が受信した第２の受信機側認証用データを上記第１の送信機側認証用データとして上記送信機側赤外線送信部から送信させることを特徴とする請求項４に記載のリモコン送信機。
【請求項１０】
上記受信機側認証用データ送信制御手段が、第２の受信機側認証用データを生成して上記受信機側電波送受信部から送信させることを特徴とする請求項５に記載のリモコン受信機。
【請求項１１】
送信機側赤外線受信部をさらに備えており、
上記送信機側認証用データ送信制御手段が、上記送信機側赤外線受信部が受信した第１の送信機側認証用データを上記送信機側赤外線送信部から送信させることを特徴とする請求項４に記載のリモコン送信機。
【請求項１２】
上記リモコン受信機の電源がオンであるかオフであるかを検出する受信機電源状態検出手段をさらに備えていることを特徴とする請求項１に記載のリモコン送信機。
【請求項１３】
上記受信機電源状態検出手段は、上記送信機側電波送受信部が一定時間信号を受信していないとき、上記リモコン受信機の電源をオフとして検出することを特徴とする請求項１２に記載のリモコン送信機。
【請求項１４】
リモコン受信機と通信する、
上記リモコン受信機へ赤外線を介して信号を送信する送信機側赤外線送信部と、
上記リモコン受信機と電波を介して信号を送受信する送信機側電波送受信部と、
上記送信機側赤外線送信部および上記送信機側電波送受信部に電力を供給する送信機側電力供給部と
を備えたリモコン送信機の制御方法であって、
上記リモコン受信機の電源をオンにするための信号を、上記送信機側赤外線送信部から送信した後に、上記送信機側電力供給部から上記送信機側電波送受信部への電力供給量を増加させる送信機側電源オン制御工程と、
上記リモコン受信機の電源をオフにするための信号を、上記送信機側電波送受信部から送信した後に、上記送信機側電力供給部から上記送信機側電波送受信部への電力供給量を低減させる送信機側電源オフ制御工程と
を包含することを特徴とするリモコン送信機の制御方法。
【請求項１５】
リモコン送信機と通信する、
上記リモコン送信機から赤外線を介して信号を受信する受信機側赤外線受信部と、
上記リモコン送信機と電波を介して信号を送受信する受信機側電波送受信部と、
上記受信機側赤外線受信部および上記受信機側電波送受信部に電力を供給する受信機側電力供給部と
を備えたリモコン受信機の制御方法であって、
上記リモコン受信機の電源をオンにするための信号を、上記受信機側赤外線受信部が受信した後に、上記受信機側電力供給部から上記受信機側電波送受信部への電力供給量を増加させる受信機側電源オン制御工程と、
上記リモコン受信機の電源をオフにするための信号を、上記受信機側電波送受信部が受信した後に、上記受信機側電力供給部から上記受信機側電波送受信部への電力供給量を低減させる受信機側電源オフ制御工程と
を包含することを特徴とするリモコン受信機の制御方法。
【請求項１６】
請求項１、４、７、９または１１から１３のいずれか一項に記載のリモコン送信機を動作させるプログラムであって、コンピュータを上記の各手段として機能させるための、プログラム。
【請求項１７】
請求項２、５、８または１０のいずれか一項に記載のリモコン受信機を動作させるプログラムであって、コンピュータを上記の各手段として機能させるための、プログラム。
【発明の詳細な説明】
【技術分野】
【０００１】
本発明はリモコン送信機およびリモコン受信機に関するものであり、特に、無線を利用して送信または受信を行うリモコン送信機およびリモコン受信機に関するものである。
【背景技術】
【０００２】
リモコンとしては、従来から赤外線（ＩＲ: Ｉｎｆｒａｒｅｄ）を利用したものが広く使われている。また、最近では、無指向性であることを生かした「電波を用いたリモコン」も現れている。
【０００３】
例えば、特許文献１は、操作対象機器にリモコンを向けなければいけないという従来の赤外線リモコンの欠点を補うために、Ｂｌｕｅｔｏｏｔｈ（登録商標）を内蔵することで、向きを気にせずにリモコン操作が可能なリモコンを提案している。
【０００４】
また、特許文献２は、無線部に低消費電力部（赤外線、Ｂｌｕｅｔｏｏｔｈ等）と高速通信部（ＩＥＥＥ８０２．１１等）とを含む、低消費電力のリモコンを提案している。
【０００５】
なお、Ｂｌｕｅｔｏｏｔｈにおいては、デバイス同士を紐付けするための操作である「ペアリング」を行うことによって、本来の利用者以外の人から操作を乗っ取られるようなことがないようにしている。Ｂｌｕｅｔｏｏｔｈについては、非特許文献１などに詳しい解説がある。また、Ｂｌｕｅｔｏｏｔｈのペアリングを従来と比較して簡単に行えるようにした技術であるＳｅｃｕｒｅ Ｓｉｍｐｌｅ Ｐａｉｒｉｎｇについては、非特許文献２に記載されている。
【特許文献１】実用新案登録第３１３５１４１号公報（平成１９年９月６日公開）
【特許文献２】特表２００７−５２９９１８号公報（平成１９年１０月２５日公開）
【非特許文献１】「テクノロジー解体新書Ｂｌｕｅｔｏｏｔｈ技術解説ガイド」、株式会社リックテレコム、平成１３年６月１１日発行
【非特許文献２】"Core Specification v2.1 + EDR", http://japanese.bluetooth.com/Bluetooth/Technology/Building/Specifications/Default.htm, 26-Jul-2007
【発明の開示】
【発明が解決しようとする課題】
【０００６】
上述したように、電波を介して通信するリモコン装置は、向きを気にせず使用することができる。しかしながら、一般に、電波の送信装置および受信装置は、赤外線の送信装置および受信装置に比べて消費電力が大きいという課題がある。特許文献２に記載の技術も、消費電力の軽減は十分ではない。そのため、消費電力をさらに軽減するための技術が求められている。
【０００７】
本発明は、上記課題に鑑みてなされたものであり、向きを気にせず使用することができる、消費電力が軽減されたリモコン送信機およびリモコン受信機を提供することを主たる目的とする。
【課題を解決するための手段】
【０００８】
本発明に係る第１のリモコン送信機は、上記課題を解決するために、リモコン受信機と通信するリモコン送信機であって、上記リモコン受信機へ赤外線を介して信号を送信する送信機側赤外線送信部と、上記リモコン受信機と電波を介して信号を送受信する送信機側電波送受信部と、上記送信機側赤外線送信部および上記送信機側電波送受信部に電力を供給する送信機側電力供給部と、上記リモコン受信機の電源をオンにするための信号を、上記送信機側赤外線送信部から送信した後に、上記送信機側電力供給部から上記送信機側電波送受信部への電力供給量を増加させる送信機側電源オン制御手段と、上記リモコン受信機の電源をオフにするための信号を、上記送信機側電波送受信部または上記送信機側赤外線送信部から送信した後に、上記送信機側電力供給部から上記送信機側電波送受信部への電力供給量を低減させる送信機側電源オフ制御手段とを備えていることを特徴としている。
【０００９】
上記の構成によれば、第１のリモコン送信機は、通信相手となるリモコン受信機の電源をオンにするための信号を上記送信機側赤外線送信部によって送信するため、上記リモコン受信機の電源をオフにするための信号を送信した後、上記送信機側電波送受信部に供給する電力供給量を増加するようにすれば、上記リモコン受信機の電源をオフにするための信号を送信した後、上記送信機側電波送受信部に供給する電力供給量を低減させても支障は無く、該電力供給量を低減させることにより、第１のリモコン送信機における消費電力を低減させることができる。
【００１０】
また、本発明に係る第１のリモコン受信機は、リモコン送信機と通信するリモコン受信機であって、上記リモコン送信機から赤外線を介して信号を受信する受信機側赤外線受信部と、上記リモコン送信機と電波を介して信号を送受信する受信機側電波送受信部と、上記受信機側赤外線受信部および上記受信機側電波送受信部に電力を供給する受信機側電力供給部と、上記リモコン受信機の電源をオンにするための信号を、上記受信機側赤外線受信部が受信した後に、上記受信機側電力供給部から上記受信機側電波送受信部への電力供給量を増加させる受信機側電源オン制御手段と、上記リモコン受信機の電源をオフにするための信号を、上記受信機側電波送受信部または上記受信機側赤外線受信部が受信した後に、上記受信機側電力供給部から上記受信機側電波送受信部への電力供給量を低減させる受信機側電源オフ制御手段とを備えていることを特徴としている。
【００１１】
上記の構成によれば、第１のリモコン受信機は、自らの電源をオンにするための信号を上記受信機側赤外線受信部によって受信するため、自らの電源をオンにするための信号を受信した後、上記受信機側電波送受信部に供給する電力供給量を増加するようにすれば、自らの電源をオフにするための信号を受信した後、上記受信機側電波送受信部に供給する電力供給量を低減させても支障は無く、該電力供給量を低減させることにより、第１のリモコン受信機における消費電力を低減させることができる。
【００１２】
また、第１のリモコン受信機と第１のリモコン送信機とは、第１のリモコン受信機の電源をオンにするための信号を赤外線を介して通信することが共通しており、第１のリモコン受信機と第１のリモコン送信機とからなるシステムとして用いることが好ましい。第１のリモコン受信機と第１のリモコン送信機とは、第１のリモコン受信機の電源をオンにするための信号を赤外線を介して通信することにより、上述したように、消費電力を低減させている。
【００１３】
なお、本明細書において、上記リモコン受信機の電源をオンにするための信号とは、例えば、上記リモコン受信機の電源をオンにすることを指令する信号であってもよいし、上記リモコン受信機の電源がオフの場合における、電源のオン／オフの切換を指令する信号であってもよい。また同様に、上記リモコン受信機の電源をオフにするための信号とは、例えば、上記リモコン受信機の電源をオフにすることを指令する信号であってもよいし、上記リモコン受信機の電源がオンの場合における、電源のオン／オフの切換を指令する信号であってもよい。
【００１４】
本発明に係る第２のリモコン送信機は、本発明に係る第１のリモコン送信機の構成を備えた上、第１の送信機側認証用データを上記送信機側赤外線送信部から送信させる送信機側認証用データ送信制御手段と、上記送信機側電波送受信部が受信した第１の受信機側認証用データが、上記第１の送信機側認証用データに関連付けられたものか否かを判定する送信機側認証用データ判定手段とをさらに備えている。
【００１５】
上記の構成によれば、第２のリモコン送信機は、上記送信機側赤外線送信部を用いることにより、目的とするリモコン受信機に対して上記第１の送信機側認証用データを送信することができる。
【００１６】
このとき、例えば、予めリモコン送信機およびリモコン受信機に対して同一の認証用データを入力しておく構成では、入力の手間がかかり、電波を介して認証用データを送信する構成であれば、意図されないリモコン受信機に対して上記第１の送信機側認証用データが送信されるおそれや、リモコン送信機をリモコン受信機に近づける必要性等がある。本発明の構成によれば、指向性があり、かつ、遠隔操作が可能な赤外線を用いて上記第１の認証用データを送信するために、これらの問題点を解消することができる。
【００１７】
そして、上記送信機側電波送受信部において受信した第１の受信機側認証用データが、上記第１の送信機側認証用データと関連付けられているか否かを上記送信機側認証用データ判定手段により判定することにより、上記第１の受信機側認証用データを送信した通信相手が、上記第１の送信機側認証用データを送信した（目的とする）リモコン受信機であるか否かを判定することができる。
【００１８】
本発明に係る第２のリモコン受信機は、本発明に係る第１のリモコン受信機の構成を備えた上、上記受信機側赤外線受信部が受信した第１の送信機側認証用データに関連付けられた第１の受信機側認証用データを生成して上記受信機側電波送受信部から送信させる受信機側認証用データ送信制御手段をさらに備えている。
【００１９】
上記の構成によれば、第２のリモコン受信機は、上記受信機側赤外線受信部を介して上記第１の送信機側認証用データを受信するので、自らを指向するリモコン送信機、具体的には、赤外線照射口が自らに向けられたリモコン送信機から上記第１の送信機側認証用データを受信することができる。
【００２０】
上述の第１のリモコン送信機の場合と同様、例えば、予めリモコン送信機およびリモコン受信機に対して同一の認証用データを入力しておく構成では、入力の手間がかかり、電波を介して認証用データを受信する構成であれば、意図されないリモコン送信機から上記第１の送信機側認証用データを受信されるおそれや、リモコン送信機をリモコン受信機に近づける必要性等がある。本発明の構成によれば、これらの問題点を解消することができる。
【００２１】
そして、上記第１の送信機側認証用データに関連付けられた第１の受信機側認証用データを生成して、上記受信機側電波送受信部から送信することにより、リモコン受信機に、自らが、上記第１の受信機側認証用データを受信した通信相手であることを認識させることができる。
【００２２】
また、本発明に係る第２のリモコン送信機と第２のリモコン受信機とは、赤外線を介して上記第１の送信機側認証用データを通信し、電波を介して上記第１の送信機側認証用データに関連付けられた第１の受信機側認証用データを通信することが共通しており、第２のリモコン受信機と第２のリモコン送信機とからなるシステムとして用いることが好ましい。赤外線を介して上記第１の送信機側認証用データを通信し、電波を介して上記第１の送信機側認証用データに関連付けられた第１の受信機側認証用データを通信することにより、上述したように、特定の通信相手との間で容易に認証用データをやり取りすることができる。
【００２３】
本発明に係る第２のリモコン送信機は、上記送信機側認証用データ送信制御手段が、上記第１の送信機側認証用データを生成して上記送信機側赤外線送信部から送信させた後、上記第１の送信機側認証用データに関連付けられた第２の送信機側認証用データを生成して上記送信機側電波送受信部から送信させるものであってもよい。また、本発明に係る第２のリモコン受信機は、上記受信機側電波送受信部が受信した第２の送信機側認証用データが、上記第１の送信機側認証用データに関連付けられたものか否かを判定する受信機側認証用データ判定手段をさらに備えていてもよい。
【００２４】
上記の構成によれば、第２のリモコン送信機と第２のリモコン受信機との間で、認証用データのやり取り、および、受信した認証用データが確かに目的とする通信相手から送信されたものであるかの判定（認証）を首尾よく行うことができる。
【００２５】
本発明に係る第２のリモコン送信機は、上記送信機側認証用データ送信制御手段が、上記送信機側電波送受信部が受信した第２の受信機側認証用データを上記第１の送信機側認証用データとして上記送信機側赤外線送信部から送信させるものであってもよい。また、本発明に係る第２のリモコン受信機は、上記受信機側認証用データ送信制御手段が、第２の受信機側認証用データを生成して上記受信機側電波送受信部から送信させるものであってもよい。
【００２６】
上記の構成によれば、第２のリモコン送信機と第２のリモコン受信機との間で、認証用データのやり取り、および、受信した認証用データが確かに目的とする通信相手から送信されたものであるかの判定（認証）を首尾よく行うことができる。
【００２７】
本発明に係る第３のリモコン送信機は、本発明に係る第２のリモコン送信機の構成を備えた上、送信機側赤外線受信部をさらに備えており、上記送信機側認証用データ送信制御手段が、上記送信機側赤外線受信部が受信した第１の送信機側認証用データを上記送信機側赤外線送信部から送信させる。
【００２８】
上記の構成によれば、本発明に係る第３のリモコン送信機は、他の、本発明に係る第２のリモコン送信機から上記送信機側赤外線受信部を介して上記第２の送信機側認証用データを受信することができる。そして、その上で、第１の送信機側認証用データを上記送信機側赤外線送信部から特定のリモコン受信機に向けて送信させることができる。これにより、複数のリモコン送信機が、同一の上記第１の送信機側認証用データを送信することができるようになり、特定のリモコン受信機と複数のリモコン送信機との間の認証を首尾よく行うことができる。
【００２９】
本発明に係る第１のリモコン送信機は、上記リモコン受信機の電源がオンであるかオフであるかを検出する受信機電源状態検出手段をさらに備えていることが好ましく、上記電源状態検出手段は、上記送信機側電波送受信部が一定時間信号を受信していないとき、上記リモコン受信機の電源をオフとして検出することが好ましい。
【００３０】
上記の構成によれば、上記第１のリモコン送信機は、上記リモコン受信機の電源がオンであるかオフであるかを認識することができるため、上記リモコン受信機の電源をオンにすることを示す信号および上記リモコン受信機の電源をオフにすることを示す信号を適切に送信することができる。さらに、上記受信機電源状態検出手段が、上記送信機側電波送受信部が一定時間信号を受信していないとき、上記リモコン受信機の電源をオフとして検出することにより、実際は上記リモコン受信機の電源がオフであるにも関わらず、上記電源がオンであると上記第１のリモコン送信機が誤認識することを避けることができる。
【００３１】
本発明に係るリモコン送信機の制御方法は、リモコン受信機と通信する、上記リモコン受信機へ赤外線を介して信号を送信する送信機側赤外線送信部と、上記リモコン受信機と電波を介して信号を送受信する送信機側電波送受信部と、上記送信機側赤外線送信部および上記送信機側電波送受信部に電力を供給する送信機側電力供給部とを備えたリモコン送信機の制御方法であって、上記リモコン受信機の電源をオンにするための信号を、上記送信機側赤外線送信部から送信した後に、上記送信機側電力供給部から上記送信機側電波送受信部への電力供給量を増加させる送信機側電源オン制御工程と、上記リモコン受信機の電源をオフにするための信号を、上記送信機側電波送受信部から送信した後に、上記送信機側電力供給部から上記送信機側電波送受信部への電力供給量を低減させる送信機側電源オフ制御工程とを包含することを特徴としている。
【００３２】
上記の構成によれば、本発明に係る第１のリモコン送信機と同等の効果を奏する。
【００３３】
本発明に係るリモコン受信機の制御方法は、リモコン送信機と通信する、上記リモコン送信機から赤外線を介して信号を受信する受信機側赤外線受信部と、上記リモコン送信機と電波を介して信号を送受信する受信機側電波送受信部と、上記受信機側赤外線受信部および上記受信機側電波送受信部に電力を供給する受信機側電力供給部とを備えたリモコン受信機の制御方法であって、上記リモコン受信機の電源をオンにするための信号を、上記受信機側赤外線受信部が受信した後に、上記受信機側電力供給部から上記受信機側電波送受信部への電力供給量を増加させる受信機側電源オン制御工程と、上記リモコン受信機の電源をオフにするための信号を、上記受信機側電波送受信部が受信した後に、上記受信機側電力供給部から上記受信機側電波送受信部への電力供給量を低減させる受信機側電源オフ制御工程とを包含することを特徴としている。
【００３４】
上記の構成によれば、本発明に係る第１のリモコン受信機と同等の効果を奏する。
【００３５】
また、本発明に係るリモコン送信機またはリモコン受信機を動作させるためのプログラムであって、コンピュータを上記の各手段として駆動させることを特徴とするプログラムおよび該プログラムを記録したコンピュータ読み取り可能な記録媒体も本発明の範疇に含まれる。
【発明の効果】
【００３６】
本発明に係るリモコン送信機およびリモコン受信機は、電波送受信部を備え、かつ、上記リモコン受信機をオンにする信号を赤外線を介して通信するものであるので、従来の赤外線技術を利用したリモコンと異なり、向きを気にせずにリモコン操作ができる、すなわち無指向性であるだけでなく、リモコン受信機からリモコン送信機へデータ等を送信し得る、すなわち双方向性であり、その上、上記リモコン受信機をオフにする信号を通信したときから、上記リモコン受信機をオンにする信号を通信したときまでの間、リモコン送信機およびリモコン受信機が備える上記電波送受信手段に供給する電力を抑制して、消費電力を軽減させることができる。
【発明を実施するための最良の形態】
【００３７】
〔定義〕
本明細書において「電波」とは、光（赤外線を含む）よりも周波数が少ない電磁波を意味する。
【００３８】
本明細書において「リモコン」とは、遠隔操作（リモート・コントロール）を意味する。「リモコン信号」とは、遠隔操作を行うための指示信号を意味する。「リモコン送信機」とは、遠隔操作を行うための指示信号を送信する装置を意味する。「リモコン受信機」とは、指示信号を受信して遠隔操作される装置を意味する。
【００３９】
本明細書において「電源がオン」とは、装置の主機能が動作するように電力が供給されていることを意味し、「電源をオンにする」とは、装置の主機能が動作するように電力を供給することを意味する。「主機能」とは、その装置の目的となる機能である。例えば、電波、赤外線等の信号を受信する機能は主機能には含まれない。したがって、主機能は動作していないが、上記信号の受信等が可能な状態（待機電力消費状態）から、主機能が動作するように電力を供給することも「電源をオンにする」ことに含まれる。また、ある回路、モジュール、機能ブロック等に対しての「電源がオン」は、その回路、モジュール、機能ブロック等の主機能が動作するように、その回路、モジュール、機能ブロック等に電力が供給されていることを意味する。
【００４０】
本明細書において「電源がオフ」とは、装置の主機能が動作するための電力供給を停止されていることを意味し、「電源をオフにする」とは、装置の主機能が動作するための電力供給を停止することを意味する。主機能は動作していないが、上記信号の受信が可能な状態（待機電力消費状態）も「電源がオフ」である。また、ある回路、モジュール、機能ブロック等に対しての「電源をオフにする」とは、その回路、モジュール、機能ブロック等への電力供給を停止または低減することであり、その回路、モジュール、機能ブロック等をスリープ状態等の低電力消費モードに設定することを含む。
【００４１】
以上のように、ある装置の待機電力消費状態においては、装置全体は「電源がオフ」で、リモコン信号受信回路は「電源がオン」になっている場合があり、さらにこの状態において、リモコン信号受信回路がスリープ状態等の低電力消費モードに移行した場合は、この装置は待機電力消費状態であるが、装置全体は「電源がオフ」であり、リモコン信号受信回路も「電源がオフ」になっている。
【００４２】
なお、「電源のオン／オフを切り替える」とは、対象となる装置の電源がオンである場合には、当該装置の電源をオフにし、対象となる装置の電源がオフである場合には、当該装置の電源をオンにする制御を意味する。
【００４３】
〔第１実施形態〕
図１は、本発明の一実施形態（第１実施形態）に係るリモコン送信機１００およびリモコン受信機２００の要部構成を示すブロック図である。
【００４４】
図１に示すように、リモコン送信機１００は、赤外線を介して信号を送信する赤外線送信部（送信機側赤外線送信部）１０３、電波を介して信号を送信する電波送受信部（送信機側電波送受信部）１０４、主制御部１１０（受信機電源状態検出手段）、これらに電力を供給する電力供給部（送信機側電力供給部）１３０、およびリモコンのキー入力を受け付けるキー操作部１０７を備えている。主制御部１１０は、リモコン受信機２００の電源をオンにする制御を行う電源オン制御部（送信機側電源オン制御手段）１１１、リモコン受信機の電源をオフにする制御を行う電源オフ制御部（送信機側電源オフ制御手段）１１２、およびリモコン受信機との間のペアリング認証の制御を行うペアリング制御部（送信機側認証用データ送信制御手段、送信機側認証用データ判定手段）１１３を備えている。
【００４５】
電源１３０から電波送受信部１０４への供給電力量はスイッチ１３１によって調節されている。電源１３０から赤外線送信部１０３への供給電力量はスイッチ１３３によって調節されている。電源１３０から主制御部１１０への供給電力量はスイッチ１３２によって調節されている。これらのスイッチ１３１〜１３３は、主制御部１１０によって制御される。以降、例えば、電波送受信部１０４の電源をオフにするという記載は、スイッチ１３１を制御して、電波送受信部１０４に供給される電力の量を低減するということを意味する。
【００４６】
また、リモコン受信機２００は、テレビ等の被操作機器である。リモコン受信機２００は、被操作機器の主機能（すなわち、テレビであれば映像放送の受信および映像の表示）を提供する主装置部２０１、赤外線を介して信号を送信する赤外線受信部（受信機側赤外線受信部）２０３、電波を介して信号を送信する電波送受信部（受信機側電波送受信部）２０４、主制御部２１０、これらに電力を供給する電力供給部（受信機側電力供給部）２３０を備えている。主制御部２１０は、リモコン送信機からの信号を受けてリモコン受信機２００の電源をオンにする制御を行う電源オン制御部（受信機側電源オン制御手段）２１１、リモコン送信機からの信号を受けてリモコン受信機２００の電源をオフにする制御を行う電源オフ制御部（受信機側電源オフ制御手段）２１２、およびリモコン送信機との間のペアリング認証の制御を行うペアリング制御部（受信機側認証用データ送信制御手段、受信機側認証用データ判定手段）２１３を備えている。
【００４７】
電力供給部２３０から電波送受信部２０４への供給電力量はスイッチ２３１によって調節されている。電力供給部２３０から赤外線受信部２０３への供給電力量はスイッチ２３３によって調節されている。電力供給部２３０から主制御部２１０への供給電力量はスイッチ２３２によって調節されている。これらのスイッチ２３１〜２３３は、主制御部２１０によって制御される。以降、例えば、電波送受信部２０４の電源をオフにするという記載は、スイッチ２３１を制御して、電波送受信部２０４に供給される電力の量を低減するということを意味する。
【００４８】
なお、ペアリング制御部１１３および２１３は、ＰＩＮコードを生成するＰＩＮコード生成部およびＰＩＮコードに基づいて、ＰＩＮコードに関連付けられたリンクキーを生成するリンクキー生成部、および特定のリンクキーが特定のＰＩＮコードに関連付けられたものであるか否かを判定するＰＩＮコードおよびリンクキー比較部を備えていてもよい。
【００４９】
ここで、説明をよりわかり易くするため、リモコン送信機１００およびリモコン受信機２００の動作を説明する前に、リモコン送信機およびリモコン受信機の外観について図面を用いて説明する。
【００５０】
図１０は、本発明に係るリモコン送信機の一例であるリモコン送信機１０００と、本発明に係るリモコン受信機の一例であるリモコン受信機１０１０とのそれぞれの外観を示す模式図である。なお、図１０は、あくまでも例示に過ぎず、本発明に係るリモコン送信機および本発明に係るリモコン受信機の構成を限定するものではない。
【００５１】
図１０に示すように、リモコン送信機１０００には、複数のボタンが設けられており、キー操作部１００３が形成されている。なお、電源ボタンは一つだけである。一方、リモコン受信機１０１０は、図１０に示すようにテレビであり、表示画面のほか、本体電源スイッチ１０１３が設けられている。
【００５２】
リモコン送信機１０００は赤外線送信部１００１を備えており、リモコン受信機１０１０に備えられた赤外線受信部１０１１に対して、赤外線リモコン信号またはＢｌｕｅｔｏｏｔｈ用ＰＩＮデータ等を送信する。リモコン送信機１０００はまた、電波送受信部１００２を備えており、リモコン受信機１０１０に備えられた電波送受信部１０１２に対して、Ｂｌｕｅｔｏｏｔｈリモコン信号等を送信し、電波送受信部１０１２からＢｌｕｅｔｏｏｔｈ用ＰＩＮデータ等を受信する。
【００５３】
なお、ここではＢｌｕｅｔｏｏｔｈを用いてリモコン信号を送受信する実施例の説明をするが、本発明はＢｌｕｅｔｏｏｔｈに限られるものではなく、電波を用いて信号を伝送するリモコンであればＺｉｇＢｅｅや、その他の独自方式によるリモコンにも適用可能である。
【００５４】
以下の動作の説明では、図１０に示したようなリモコン送信機とリモコン受信機とからなるシステムを典型例として説明するが、本発明の範囲はこれに限定されない。また、以下の説明において、図１１に示すようなシステムについても言及することがある。
【００５５】
図１１は、本発明に係るリモコン送信機の一例であるリモコン送信機１１００と、図１０においても示した本発明に係るリモコン受信機の一例であるリモコン受信機１０１０とのそれぞれの外観を示す模式図である。図１１は、あくまでも例示に過ぎず、本発明に係るリモコン送信機および本発明に係るリモコン受信機の構成を限定するものではない。
【００５６】
リモコン送信機１１００はリモコン送信機１０００と異なり、電源ボタンが「オン」と「オフ」との二つ設けられている。それ以外は、リモコン送信機１０００と同じである。
【００５７】
次に、リモコン送信機１００およびリモコン受信機２００の動作を、電源のオンおよびオフ時を中心に説明する。なお、以下では、電波送受信部１０４および２０４は、Ｂｌｕｅｔｏｏｔｈデバイスであり、ペアリングのための認証用データとしてＢｌｕｅｔｏｏｔｈデバイスにおいて用いられるＰＩＮコード（第１の送信機側認証用データ、第２の受信機側認証用データ）およびリンクキー（第１の受信機側認証用データ、第２の送信機側認証用データ）を用いた場合について説明するが、本発明はこれに限定されるものではなく、他の無線技術を用いてもよい。
【００５８】
リモコン受信機２００（テレビ等の被操作機器）の電源がオフになる際（リモコンによってオフになる場合も、本体電源スイッチ等によってオフになる場合もある。）には、主制御部２１０により、リモコン受信機２００の電源をオフにするのに先立ち、「リモコン受信機がオフになる」という情報が電波送受信部２０４からリモコン送信機１００の電波送受信部１０４に送られ、リモコン送信機１００の主制御部１１０は、この情報を受けると、リモコン送信機１００の電源をオフにする。
【００５９】
リモコン信号によってリモコン受信機２００がオフになる場合は、リモコン受信機２００の赤外線受信部２０３は、「電源オン」または「電源のオン／オフの切換」のリモコン信号（リモコン受信機２００の電源をオンにするための信号）は受信できる（他の信号は受信できなくてもよい）ような低消費電力状態（スリープモード）に遷移し、電波送受信部２０４などの他の部分（赤外線受信部２０３以外の部分）については完全に電源オフ状態にしておくことができる。
【００６０】
次に、電源をオンにするときの処理を、図２を参照して説明する。
【００６１】
リモコン送信機１００は、キー操作部１０７がリモコンキーの電源ボタンの入力を感知すると、電源ｆｌｇのデータを参照し、「０」(オフ)であれば、電波送受信部１０４は電源オフのまま、まず赤外線送信部１０３の電源をオンにし、赤外線送信部１０３からリモコン受信機２００の電源をオンにするためのリモコン信号（すなわち、「リモコン受信機の電源をオンにすることを指令するリモコン信号」であってもよいし、図１０に示すリモコン送信機１０００のように電源ボタンが一つしかないリモコン送信機において一般に用いられる、「リモコン受信機の電源のオン／オフを切り替えることを指令するリモコン信号」であってもよい）を送信する。
【００６２】
なお、本明細書中で「電源ｆｌｇ」とは、リモコン送信機１００の内部メモリ（記憶部１２０）に格納されているデータ（フラグ）であり、主制御部１１０が、リモコン操作対象機器（リモコン受信機２００）の電源状態を把握するために使用される。電源オン／オフのリモコン信号がリモコン受信機２００にきちんと届かなかった場合に、電源ｆｌｇの値と、リモコン受信機２００の電源状態との間にできるだけ矛盾が生じることがないように、リモコン受信機２００の電源状態が変更になった時点で、その状態を示す情報（オンまたはオフ）がリモコン送信機１００に送信され、主制御部１１０は、その情報によって、電源ｆｌｇの値を変更する。このようにすることで、リモコン受信機２００の電源状態と、リモコン送信機１００に保持されている電源ｆｌｇの値とはいつも同じ値（オンまたはオフ）になるように制御されている。
【００６３】
また、リモコン送信機１００についている「電源キー」が、一つのキーではなく、「電源オンキー」と「電源オフキー」などに分かれている場合（図１１参照）は、どちらの電源キーが押されるかによって、リモコン受信機２００の電源をオンにするのかオフにするのかが明確にわかるため、電源ｆｌｇの値を変更する処理及び電源ｆｌｇ等は不要となる。
【００６４】
ついで、ペアリング制御部１１３で生成したＰＩＮコード（第１の送信機側認証用データ）を赤外線送信部１０３から送信する。一方、リモコン受信機２００は、リモコンでオフになっていた場合は赤外線受信部２０３は赤外線リモコン信号による「電源オン」（または「電源オン／オフの切換」）の信号を受信したら、リモコン受信機２００全体の電源をオンにし、ペアリング制御部２１３が、その後送られてくるＰＩＮコードに基づいて生成したリンクキー（第１の受信機側認証用データ）を電波送受信部２０４からリモコン送信機１００に送信する。
【００６５】
リモコン送信機１００の電波送受信部１０４は、リモコン受信機２００から送信されたリンクキーを受信し、ペアリング制御部１１３では、ペアリング制御部１１３が生成したＰＩＮコードと、電波送受信部１０４が受信したリンクキーとを比較することでリモコン受信機２００の認証を行う。また、このとき、リモコン送信機１００は電源ｆｌｇのデータを「１」（オン）に変更する。また、ペアリング制御部１１３は、ペアリング制御部１１３が生成したＰＩＮコードに基づいてリンクキー（第２の送信機側認証用データ）を生成して、電波送受信部１０４から送信する。リモコン受信機２００は、このリンクキーを用いてリモコン送信機１００を認証する。なお、リモコン送信機１００によるリンクキーの送信は、図２に示すように、リモコン受信機２００からのリンクキーの受信の後に行ってもよいし、図３に示すように、リモコン受信機２００からのリンクキーの受信の前に行ってもよい。
【００６６】
なお、認証は、上述したようにＰＩＮコードから生成したリンクキーを交換することによってなされる。詳しくは、ＰＩＮコードを入力として初期化キーアルゴリズムによって初期化キーを算出し、さらにこの初期化キーを用いてリンクキーの設定を行う。なお、本発明は、「赤外線によって、ある種の情報を双方で共有化する」ことによって、認証用データを作成して認証することを目的とするものであり、必ずしもＰＩＮコードを生成するものでなくともよく、初期化キー生成用データ、暗証番号、暗証データ等であってもよい。また、認証の方法は、本実施形態ではＢｌｕｅｔｏｏｔｈの規格に沿って行えばよいが、これに限られるものではなく、第２の実施形態に記載のように、リモコン送信機が第１の認証用データを赤外線によってペアリング相手のリモコン受信機に送信し、当該リモコン受信機から第１の認証用データに関連付けられた第１の認証用データを返信する構成であれば、リモコン送信機およびリモコン受信機の両方がお互いに相手が第１の認証用データを有していることを確認し得るため、認証を行うことができる。
【００６７】
認証が完了したら、それ以後は、リモコン信号は電波送受信部１０４を用いて送信することができるので、赤外線送信部１０３の電源はオフにしておくことができる。また、再度認証が必要な時期が到来するまでは、ペアリング制御部１１３の電源もオフにしておくことができる。リモコン受信機２００の方も、電波送受信部２０４により受信したリモコン送信機１００からの電波を用いてリモコン送信機１００の認証を完了した時点で、赤外線受信部２０３やペアリング制御部２１３の電源をオフにしておくことができる。
【００６８】
なお、ここではこのＰＩＮコードを電波でなく赤外線で送信するということがセキュリティ上、非常に大切な仕組みとなる点を再確認しておきたい。なぜなら、このＰＩＮコードのやりとりの過程を電波だけで行うと、部屋の外にいる悪意のある者からのＰＩＮコード送信によりリモコン受信機２００の認証を行われてしまうかもしれないからである。すなわち、ＰＩＮコードを電波で送信している限り、いかにその電波の出力を弱めたとしても、悪意者が高性能アンテナ等を用いる場合も考えられ、上述したような悪意者による認証を原理的に防ぐことは困難である。この過程の一部に赤外線を取り入れることにより、このような悪意者による認証を不可能にしている。
【００６９】
次に、電源がオフになるときの処理を、図４を参照して説明する。
【００７０】
リモコン送信機１００は、キー操作部１０７でリモコンキーの電源ボタンの入力を感知すると、電源ｆｌｇの値を参照し、「１」（オン）であれば、電波にて「電源オフ」（または「オン／オフの切換」）のリモコン信号を送信する。なお、「電源オフ」のリモコン信号と「電源オン」のリモコン信号が同一の場合（例えば、図１０のリモコン送信機のように、電源ボタンが一つしかないリモコン送信機において「電源オフ」のリモコン信号と「電源オン」のリモコン信号は同一である場合）は、電源ｆｌｇの値によらず、リモコンの「電源」ボタンに対応する信号（「オン／オフの切換」のリモコン信号）を送信する。
【００７１】
リモコン受信機２００は、電源オフ信号を受信すると、リモコン受信機２００全体の電源をオフにしても問題ないか確認してから電源をオフにする処理を開始する。また、「オン／オフの切換」のリモコン信号をリモコン受信機２００が受信した場合は、リモコン受信機２００がオン状態であれば、リモコン受信機２００全体の電源をオフにしても問題ないか確認してから電源をオフにする処理を開始する。リモコン受信機２００全体の電源をオフにしても問題ないことが確認でき、電源オフの処理を完了できる状態になったら、電源オフ完了通知をリモコン送信機１００に送信する。その後、リモコン受信機２００は、次にリモコンで電源オンの指示が出されるのに備え、赤外線での電源オンが検知できるスリープモード（リモコン受信機２００の他の動作部分や、電波送受信部２０４等は電源オフ状態）に移行する。
【００７２】
リモコン送信機１００は、リモコン受信機２００から「電源オフ完了通知」を受信したら、電源ｆｌｇを「０」（オフ）に変更し、その後のリモコン送信機１００での電源オン等の指示を出す時に備え、リモコン送信機１００のキーの入力が検知できるスリープモード（リモコン送信機１００の他の動作部分や、電波送受信部１０４等は電源オフ状態）に移行する。
【００７３】
なお、電源オフ処理の際の、リモコン送信機１００からの「電源オフ」または「電源のオン／オフの切換」の信号は、赤外線送信部１０３から送信してもよい。その場合、リモコン受信機２００は、赤外線受信部２０３において電源オフ信号を受信すると、電波を介して受信した場合と同様に、リモコン受信機２００の電源をオフにする処理を開始する。また同様に、「オン／オフの切換」のリモコン信号を赤外線受信部２０３においてリモコン受信機２００が受信した場合は、リモコン受信機２００がオン状態であれば、リモコン受信機２００全体の電源をオフにしても問題ないか確認してから電源をオフにする処理を開始する。
【００７４】
リモコン受信機２００の電源オフが、リモコン送信機１００からのリモコン信号によってではなく、リモコン受信機２００本体の電源スイッチによって行われる際の処理シーケンスを図６を参照して説明する。
【００７５】
リモコン受信機（テレビなど）２００は、本体の電源ボタンが押されたことを検出すると、電源オフになる前に、「電源オフ完了通知」をリモコン送信機１００に電波送受信部２０４から送信する。その後、リモコン受信機２００は、完全な電源オフ状態に移行する。なお、リモコン受信機２００は必ずしも完全な電源オフ状態となる必要はないが、この場合はその後の電源オンはリモコンではなく、本体電源スイッチによって行われることのみを想定し、リモコン受信機２００をスリープモードにすることなく、完全な電源オフ状態にすることが一般的である。
【００７６】
リモコン送信機１００は、リモコン受信機２００から「電源オフ完了通知」を受信したら、電源ｆｌｇを「０」（オフ）に変更し、その後のリモコンでの電源オン等の指示を出す時に備え、リモコン送信機のキーの入力が検知できるスリープモード（リモコン送信機１００の他の動作部分や、電波送受信部１０４等は電源オフ状態）に移行する。
【００７７】
上記と反対に、リモコン受信機２００の電源オンが、リモコン送信機１００からのリモコン信号によってではなく、リモコン受信機２００本体の電源スイッチによって行われる際の処理シーケンスを図７を参照して説明する。
【００７８】
リモコン受信機（テレビなど）２００は、本体の電源ボタンが押されたことを検出すると、電源オンになる際には、リモコン受信機２００の電源オン処理において、可能な場合（リモコン送信機１００とのペアリングが解除されていない場合）には「電源オン完了通知」をリモコン送信機１００に電波で送信する。リモコン送信機１００は、リモコン受信機２００から「電源オン完了通知」を受信したら、電源ｆｌｇを「１」（オン）に変更する。（リモコン受信機２００とリモコン送信機１００との間でペアリングが解除されていない場合は、その後は電波でのリモコン操作を継続できることになる。）
リモコン送信機１００とリモコン受信機２００との間でペアリングが解除されている場合には、電波による電源状態の送信が行えないので、この場合は、「電源オン完了通知」の送信は行われない。このときは、リモコン送信機１００の電源ｆｌｇの値と、リモコン受信機２００の電源状態との間に不整合が生じる（電源ｆｌｇは「０」（オフ）で、リモコン受信機は電源オンとなる。）。しかし、これは、ユーザがその後リモコン送信機１００でリモコン操作をする際に解消される。この仕組みについて図８を参照して説明する。
【００７９】
このとき、ユーザがリモコン送信機１００でなんらかの操作をした場合、その操作に対応するリモコン信号は赤外線で送信される。赤外線の場合、指向性があるため、リモコンをリモコン受信機（テレビなど）２００に向けないとリモコン受信機２００が反応しないため、ユーザは自然とリモコンをリモコン受信機２００に向けることになる。
【００８０】
リモコン受信機２００はリモコン信号を受信したら、そのリモコン信号に対応した処理（チャンネル変更、ボリュームアップダウン等）が行うが、その後リモコン送信機１００からＰＩＮコード（第１の送信機側認証用データ）が赤外線で送信される。リモコン受信機２００は赤外線で受信したＰＩＮコードに基づいて生成したリンクキー（第１の受信機側認証用データ）を電波で返信する。
【００８１】
リモコン送信機１００は電波で返信されたリンクキーを使ってリモコン受信機２００の認証を行い、記憶部１２０の電源ｆｌｇを「１」（オン）にする。それ以降は図２で説明したシーケンスと同様となる。このようにして、電源ｆｌｇの値と、リモコン受信機２００の電源状態との整合が取れることになる。なお、図３で説明したシーケンスのように、リモコン送信機１００は、リモコン受信機２００からのリンクキーの受信の前に、自ら生成したリンクキーをリモコン受信機２００に送信してもよい。
【００８２】
また、図６において、「電源オフ完了通知」をリモコン送信機１００が正常に受信できなかった場合は、リモコン送信機１００の電源ｆｌｇは「１」（オン）なのに、リモコン受信機２００の電源はオフになっているという状態が発生する。この場合は、その後（リモコン受信機２００の電源がオフの間）、リモコン送信機１００からの電波をリモコン受信機２００で受信されることはないため、しばらくすると、リモコン送信機１００内のタイマ部（図示せず）の計時機能によって、一定の期間通信ができないことが確認された段階で、リモコン送信機１００の送信側電波送受信部はタイムアウト状態になる。この時、リモコン送信機１００（の主制御部１１０）は電源ｆｌｇを「０」（オフ）に変更する。これがリモコン受信機電源状態検出の仕組みの一例であり、このようにして、この場合も、電源ｆｌｇの値と、リモコン受信機の電源状態との整合が取れることになる。
【００８３】
なお、ペアリングは、リモコン操作する直前には認証が完了していれば、いつ行ってもよい。例えば、電源オン直後にペアリングせずに、ユーザがなんらかのリモコン操作をした場合に、リモコン信号を送る処理の前に、ペアリングを行ってもよい。
【００８４】
また、通常は、一度ペアリングを行ったら、電源をオフにするまでは再度ペアリングが必要になることはないが、機種によって、ペアリング可能な機器の数に制限がある場合があり、このような機種の場合は電源オン中にもペアリングが切れて、再度のペアリングが必要になる場合がある。その場合も、リモコン信号を送る処理の前に、ペアリングを行えばよい。
【００８５】
また、電源をオフにする際に、ＭＡＣアドレスやリンクキーをフラッシュメモリ等の不揮発性メモリに保存して、電源オン時にはそれらの値を利用して再接続可能にする実装をすれば、電源オン時に毎回ペアリングを行う必要はない。
【００８６】
（第２の実施形態）
本発明の第２の実施形態では、第１の実施形態に対して、ペアリング制御部１１３およびペアリング制御部２１３の動作が異なっている。その他の部分の説明は、第１の実施機形態と同様である。
【００８７】
図５は、本実施形態に係るシステムの電源オン時の制御を説明するシーケンス図である。リモコン送信機１００は、キー操作部１０７でリモコンキーの「電源」ボタンの押下を感知すると、電源ｆｌｇのデータを参照し、「０」(オフ)であれば、電波送受信部１０４および赤外線送信部１０３の電源をオンにし、赤外線送信部１０３から「リモコン受信機の電源をオンにすることを指令するリモコン信号」または「リモコン受信機の電源のオン／オフを切り替えることを指令するリモコン信号」を送信する。
【００８８】
リモコン受信機２００は、赤外線受信部２０３において、赤外線リモコン信号による「リモコン受信機の電源をオンにすることを指令するリモコン信号」を受信したとき、または、リモコン受信機２００がオフの場合に、赤外線リモコンによる「リモコン受信機の電源のオン／オフを切り替えることを指令するリモコン信号」を受信したとき、リモコン受信機２００全体への電力供給を開始する。ついで、ペアリング制御部２１３は、ＰＩＮコード（第２の受信側認証用データ）を生成し、生成したＰＩＮコードを電波送受信部２０４から送信する。
【００８９】
これに対し、リモコン送信機１００は、電波送受信部１０４において、上記ＰＩＮコードを受信し、ペアリング制御部１１３が、このＰＩＮコード（第１の送信機側認証用データ）を赤外線送信部１０３からリモコン受信機に送信するとともに、電源ｆｌｇの値を「１」（オン）に変更する。
【００９０】
リモコン受信機２００では、リモコン送信機１００の赤外線送信部１０３から送信されたＰＩＮコードを赤外線受信部２０３で受信し、ペアリング制御部２１３が、この受信されたＰＩＮコード（第１の送信機側認証用データ）と、ペアリング制御部２１３が生成したＰＩＮコード（第２の受信機側認証用データ）とを比較することでリモコン送信機１００の認証を行った後、電波送受信部２０４からＰＩＮコードから生成したリンクキー（第１の受信機側認証用データ）を送信する。
【００９１】
認証が完了したら、それ以後は、リモコン信号は電波送受信部２０４を用いて送受信することができるので、赤外線受信部２０３の電源はオフにしておくことができる。再度認証が必要な時期が到来するまでは、ペアリング制御部２１３の電源もオフにしておくことができる。また、リモコン送信機１００についても、電波送受信部１０４により受信したリンクキーに基づいてリモコン受信機２００の認証を完了した時点で、赤外線送信部１０３や、ペアリング制御部１１３の電源をオフにしておくことができる。
【００９２】
電源オン信号を送信する際には、リモコン送信機１００をリモコン受信機２００に向けておく必要がある（赤外線には指向性があるので）が、電源オン信号等の送信直後にＰＩＮコードの赤外線での返信も行われることになるため、ユーザには負担を強いることなく（わざわざＰＩＮコード送信時にリモコン送信機１００をリモコン受信機２００に向けるということを気にしなくて良い）、ＰＩＮコードの赤外線による送信が可能となる。
【００９３】
このように、本実施形態に係るシステムでは、ＰＩＮコードを電波でなく赤外線で返信している。このことは、セキュリティ上、非常に大切な仕組みである。なぜなら、このＰＩＮコードのやりとりの過程を電波だけで行うと、部屋の外にいる悪意のある者からのＰＩＮコード返信によりリモコン受信機２００の認証を行われてしまうかもしれないからである。この過程の一部に赤外線を取り入れることにより、このような悪意者による認証を不可能にしている。
【００９４】
電源オフ時の制御は第１の実施形態と同様であるが、リモコン送信機１００の電源ｆｌｇ「０」（オフ）で、リモコン受信機２００は電源オンとなった場合において、ユーザがその後リモコン送信機でリモコン操作をすることによって上記不整合を解消する際の制御は若干異なっている。このことについて、図９を参照して説明する。
【００９５】
電源ｆｌｇは「０」（オフ）で、リモコン受信機は電源オンとなっている状態において、ユーザがリモコン送信機１００でなんらかの操作をした場合、その操作に対応するリモコン信号は赤外線で送信される。赤外線の場合、指向性があるため、リモコンをリモコン受信機（テレビなど）２００に向けないとリモコン受信機２００が反応しないため、ユーザは自然とリモコンをリモコン受信機２００に向けることになる。
【００９６】
リモコン受信機２００はリモコン信号を受信したら、そのリモコン信号に対応した処理（チャンネル変更、ボリュームアップダウン等）を行う。その後、ＰＩＮコード（第２の受信機側認証用データ）を生成し、電波送受信部２０４よりＰＩＮコードを送信する。リモコン送信機１００は電波送受信部１０４においてＰＩＮコードを受信すると、電源ｆｌｇを「１」（オン）にするとともに、ペアリング制御部１１３が、受信したＰＩＮコードと同一のＰＩＮコード（第１の送信機側認証用データ）を赤外線送信部１０３から送信する。リモコン受信機２００は赤外線で返信されたＰＩＮコードを使ってリモコン送信機の認証を行う。それ以降は図５で説明したシーケンスと同様となる。このようにして、電源ｆｌｇの値と、リモコン受信機２００の電源状態との整合が取れることになる。
【００９７】
以上のように、本実施形態に係るシステムにおけるリモコン受信機２００およびリモコン送信機１００は、待機電力の低減を図ることができ、またＰＩＮコードを自動的に生成して認証を行うことができるので、ペアリングの自動化も図ることができる。
【００９８】
また、一度電波による接続が確立される（暗証データの送受信を行ってリモコンや機器の認証が行われる）と、それ以後は電波によってリモコン信号を送信できるため、方向によらないリモコン操作が可能になるとともに、赤外線デバイスの電源をオフにすることができ、低消費電力化が図れる。
【００９９】
（第３の実施の形態）
図１２に、本発明の第３の実施形態に係るシステムの概要を示す模式図である。リモコン送信機１００は、第１の実施形態に係るリモコン送信機１００と同一のものである。リモコン送信機３００は、リモコン送信機１００の構成（赤外線送信部３０４等）に加えて、赤外線受信部（送信機側赤外線受信部）３０２を備えている。
【０１００】
リモコン送信機１００は、上述したように、赤外線送信部１０３からＰＩＮコード（第１の送信機側認証用データ）を送信するが、リモコン送信機３００は当該ＰＩＮコードを、赤外線受信部３０２において受信する。リモコン送信機３００のペアリング制御部３１３は、受信したＰＩＮコードを、第１の実施形態において生成したＰＩＮコードと同様に赤外線送信部３０４から送信させる。
【０１０１】
このような仕組みにすることにより、ＢｌｕｅｔｏｏｔｈのＰＩＮコードを、利用者に明示せずにリモコン送信機間でやりとりすることが可能になる。つまり、ＰＩＮコードを利用者に秘密のままリモコン送信機間で交換できることになる。
【０１０２】
また、この赤外線による暗証データの交換は、ＩｒＳＳを利用すると、利用者には画像データ（ＪＰＥＧデータ）のように見せることも可能であるので、悪意のあるものに、「暗証データを交換している」ということを悟られることを防ぐ効果もある。
【０１０３】
（プログラムおよび記録媒体）
最後に、リモコン送信機１００に含まれている主制御部１１０、リモコン受信機２００に含まれている主制御部２１０およびリモコン送信機３００に含まれている主制御部３１０は、ハードウェアロジックによって構成すればよい。または、次のように、ＣＰＵ（Central Processing Unit）を用いてソフトウェアによって実現してもよい。
【０１０４】
すなわち、主制御部１１０、２１０および３１０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１０５】
そして、本発明の目的は、主制御部１１０、２１０および３１０のプログラムメモリに固定的に担持されている場合に限らず、上記プログラムのプログラムコード（実行形式プログラム、中間コードプログラム、または、ソースプログラム）を記録した記録媒体をリモコン送信機１００、リモコン受信機２００またはリモコン送信機３００に供給し、リモコン送信機１００、リモコン受信機２００またはリモコン送信機３００が上記記録媒体に記録されている上記プログラムコードを読み出して実行することによっても、達成可能である。
【０１０６】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１０７】
また、主制御部１１０、２１０および３１０（またはリモコン送信機１００、リモコン受信機２００およびリモコン送信機３００）を通信ネットワークと接続可能に構成しても、本発明の目的を達成できる。この場合、上記のプログラムコードを、通信ネットワークを介して主制御部１１０、２１０および３１０に供給する。この通信ネットワークは主制御部１１０、２１０および３１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１０８】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１０９】
以上のように、本発明の実施の形態および実施例について説明を行なったが、今回開示した実施の形態および実施例は全ての点で例示であって制限的なものではないと考えられるべきである。本発明の範囲は特許請求の範囲によって示され、特許請求の範囲と均等の意味および範囲内での全ての変更が含まれる。
【産業上の利用可能性】
【０１１０】
本発明は、家庭用または業務用の電気製品等において利用可能である。
【図面の簡単な説明】
【０１１１】
【図１】本発明の一実施形態に係るシステムの概略構成を示す模式図である。
【図２】本発明の一実施形態に係るシステムの電源オン時の制御を示すシーケンス図である。
【図３】本発明の一実施形態に係るシステムの電源オン時の制御を示すシーケンス図である。
【図４】本発明の一実施形態に係るシステムの電源オフ時の制御を示すシーケンス図である。
【図５】本発明の一実施形態に係るシステムの電源オン時の制御を示すシーケンス図である。
【図６】本発明の一実施形態に係るシステムの電源オフ時の制御を示すシーケンス図である。
【図７】本発明の一実施形態に係るシステムの電源オフ時の制御を示すシーケンス図である。
【図８】本発明の一実施形態に係るシステムの電源状態の不整合の解消時の制御を示すシーケンス図である。
【図９】本発明の一実施形態に係るシステムの電源状態の不整合の解消時の制御を示すシーケンス図である。
【図１０】本発明の一実施形態に係るシステムの外観を示す模式図である。
【図１１】本発明の一実施形態に係るシステムの外観を示す模式図である。
【図１２】本発明の一実施形態に係るリモコン送信機の概略構成を示す模式図である。
【符号の説明】
【０１１２】
１００、３００  リモコン送信機
２００          リモコン受信機
２０１          主装置部
３０２          赤外線受信部（送信機側赤外線受信部）
１０３、３０３  赤外線送信部（送信機側赤外線送信部）
２０３          赤外線受信部（受信機側赤外線受信部）
１０４、３０４  電波送受信部（送信機側電波送受信部）
２０４          電波送受信部（受信機側電波送受信部）
１０７、３０７  キー操作部
１１０、２１０、３１０  主制御部
１１１、３１１  電源オン制御部（送信機側電源オン制御手段）
２１１          電源オン制御部（受信機側電源オン制御手段）
１１２、３１２  電源オフ制御部（送信機側電源オフ制御手段）
２１２          電源オフ制御部（受信機側電源オフ制御手段）
１１３、３１３  ペアリング制御部（送信側認証用データ送信制御部、送信側認証用データ判定部）
２１３          ペアリング制御部（受信側認証用データ送信制御部、受信側認証用データ判定部）
１２０、２２０  記憶部
１３０、３３０  電力供給部（送信機側電力供給部）
２３０          電力供給部（受信機側電力供給部）
１３１〜１３３、２３１〜２３３  スイッチ
１０００、１１００  リモコン送信機
１００１、１１０１  赤外線送信部
１００２、１１０２  電波送受信部
１００３、１１０３  キー操作部
１０１０  リモコン受信機
１０１１  赤外線受信部
１０１２  電波送受信部
１０１３  本体電源スイッチ
【図１】
2010098447.tif 000003
【図２】
2010098447.tif 000004
【図３】
2010098447.tif 000005
【図４】
2010098447.tif 000006
【図５】
2010098447.tif 000007
【図６】
2010098447.tif 000008
【図７】
2010098447.tif 000009
【図８】
2010098447.tif 000010
【図９】
2010098447.tif 000011
【図１０】
2010098447.tif 000012
【図１１】
2010098447.tif 000013
【図１２】
2010098447.tif 000014